(57)【要約】【課題】簡単に短時間で設置することができる作業台を提供する。【解決手段】防雪柵、防風柵、または防護壁などの設置工事において、それらに用いるＨ鋼２に対して着脱可能に配設され、作業をするための台部材１０と、この台部材１０に登るためのはしご部材２０と、台部材１０およびはしご部材２０をＨ鋼２に対して着脱可能に配設する配設部材３０とを備えている。配設部材３０は、例えば、Ｈ鋼２のフランジ２Ａに取り付けられたボルト３Ａまたはナット３Ｂに対して係止することにより固定する配設係止部３１と、台部材１０を支持するアーム部３２とを有している。【選択図】図１
0003160239.tif 000002
【実用新案登録請求の範囲】
【請求項１】
Ｈ鋼に対して着脱可能に配設される作業台であって、
作業をするための台部材と、この台部材に登るためのはしご部材と、前記台部材および前記はしご部材を前記Ｈ鋼に対して着脱可能に配設する配設部材とを備え、
前記配設部材は、前記Ｈ鋼のフランジに取り付けられたボルトまたはナットに対して係止することにより、前記台部材および前記はしご部材を前記Ｈ鋼に対して配設する配設係止部を有する
ことを特徴とする作業台。
【請求項２】
前記はしご部材には、前記Ｈ鋼に対して係止するはしご係止部が設けられたことを特徴とする請求項１記載の作業台。
【請求項３】
前記台部材には、踏板を上に載せてボルトにより固定するための固定孔が設けられたことを特徴とする請求項１または請求項２記載の作業台。
【考案の詳細な説明】
【技術分野】
【０００１】
本考案は、Ｈ鋼に対して着脱可能に配設される作業台に関する。
【背景技術】
【０００２】
防雪柵、防風柵、または防護壁などの設置工事では、例えば、Ｈ鋼を所定の間隔で設置したのち、遮蔽板を水平にしてＨ鋼に掛け渡し、ボルトとナットで固定するが、高い所の作業をする際には、Ｈ鋼に作業台を仮設して行っている。従来、Ｈ鋼に作業台を仮設する場合には、例えば、Ｈ鋼にボルトとナットを用いて固定していた。しかしながら、従来は、ボルトとナットを用いて作業台を固定していくのは、手間と時間がかかり、もっと簡単に設置できる作業台の開発が望まれていた。
【０００３】
なお、特許文献１には、Ｈ鋼のフランジにクランプで取り付ける作業床用ブラケットが記載されている。しかし、本願考案とは具体的な構成が全く異なっている。
【先行技術文献】
【特許文献】
【０００４】
【特許文献１】特開２０００−３０３６８３号公報
【考案の概要】
【考案が解決しようとする課題】
【０００５】
本考案は、このような問題に基づきなされたものであり、簡単に短時間で設置することができる作業台を提供することを目的とする。
【課題を解決するための手段】
【０００６】
本考案の作業台は、Ｈ鋼に対して着脱可能に配設されるものであって、作業をするための台部材と、この台部材に登るためのはしご部材と、台部材およびはしご部材をＨ鋼に対して着脱可能に配設する配設部材とを備え、配設部材は、Ｈ鋼のフランジに取り付けられたボルトまたはナットに対して係止することにより、台部材およびはしご部材をＨ鋼に対して配設する配設係止部を有するものである。
【考案の効果】
【０００７】
本考案の作業台によれば、Ｈ鋼のフランジに取り付けられたボルトまたはナットに対して係止する配設係止部を設けるようにしたので、Ｈ鋼に対して台部材およびはしご部材を容易に取り付け、また、取り外しすることができる。よって、作業効率を向上させることができる。
【０００８】
また、はしご部材に、Ｈ鋼に対して係止するはしご係止部を設けるようにすれば、安定性を向上させることができる。
【０００９】
更に、台部材に、踏板をボルトにより固定するための固定孔を設けるようにすれば、踏板を簡単かつ安定して配設することができる。
【図面の簡単な説明】
【００１０】
【図１】本考案の一実施の形態に係る作業台の構成を表す図である。
【図２】図１に示した作業台の他の構成を表すものである。
【図３】図２に示したＩ−Ｉ線に沿った端面構造を表すものである。
【図４】図１に示したＩＩ−ＩＩ線に沿った端面構造を表すものである。
【考案を実施するための形態】
【００１１】
以下、本考案の実施の形態について、図面を参照して詳細に説明する。
【００１２】
図１（Ａ）は本考案の一実施の形態に係る作業台１の構成を表すものであり、図１（Ｂ）は（Ａ）に示した作業台１を上方から見た構成を表すものであり、図１（Ｃ）は（Ａ）に示した作業台１の一部を分離して表すものである。この作業台１は、例えば、防雪柵、防風柵、または防護壁などの設置工事において、それらに用いるＨ鋼２に対して着脱可能に配設されるものである。この作業台１は、作業をするための台部材１０と、この台部材１０に登るためのはしご部材２０と、台部材１０およびはしご部材２０をＨ鋼２に対して着脱可能に配設する配設部材３０とを備えている。
【００１３】
配設部材３０は、例えば、Ｈ鋼２のフランジ２Ａに取り付けられたボルト３Ａまたはナット３Ｂに対して係止することにより固定する配設係止部３１と、台部材１０を支持するアーム部３２とを有している。配設部材３０は、例えば、Ｈ鋼２のウェブ２Ｂの両側にそれぞれ配設され、一対の配設部材３０により、１つの台部材１０を他方のフランジ２Ｃ（配設係止部３１が配設される側とは反対のフランジ）の外側で支持するように構成されている。配設係止部３１には、例えば、ボルト３Ａまたはナット３Ｂを係止する少なくとも１つの係止孔３１Ａが、配設係止部３１の半分よりも下側に設けられている。配設係止部３１は、例えば、一方のフランジ２Ａの内側に対向して配設される。
【００１４】
配設係止部３１には、また、接続部３３を介して、配設補助部３４が接合されている。配設補助部３４は、Ｈ鋼２に対してより安定して固定するためのものであり、他方のフランジ２Ｃに対向して当接するように配設されている。接続部３３は、配設係止部３１の上方に接合されることが好ましく、また、一方のフランジ２Ａから他方のフランジ２Ｃに向かって斜め上方に伸長されることが好ましい。アーム部３２は、例えば、一端部が接続部３３に接合され、他端部が他方のフランジ２Ｃの外側まで延長されている。アーム部３２の他端部側には、上面に、例えば、台部材１０を着脱可能に配設するための突起部３２Ａが少なくとも１つ設けられている。
【００１５】
台部材１０には、例えば、アーム部３２の突起部３２Ａに対応して、突起部３２Ａに嵌合する嵌合部１１が設けられており、配設部材３０に対して着脱可能に配設されるようになっている。台部材１０は、例えば、人が上に乗って作業する踏台として機能すると共に、例えば図２に示したように、複数の台部材１０の上に踏板４を掛け渡して作業場を設置する設置台としての機能も有するように構成されている。図３は、図２に示したＩ−Ｉ線に沿った端面構造を表すものである。台部材１０の上面には、例えば、踏板４を上に載せてボルト１２により固定するための固定孔１３が設けられていることが好ましい。踏板４は、例えば、踏板４の上面および側面を覆い、両端に固定部１４Ａが設けられた取付部材１４により固定される。この固定部１４Ａには、固定孔１３に対応して、ボルト１２を貫通させる貫通孔１４Ｂが設けられている。また、図示しないが、踏板４にボルト１２の貫通孔を設け、直接固定するようにしてもよい。
【００１６】
はしご部材２０は、例えば、台部材１０の一辺、または一方の配設部材３０に対して配設され、着脱可能とされていても、接合されていてもよい。図４は、図１（Ａ）にＩＩ−ＩＩ線に沿った端面構造を表すものである。はしご部材２０は、例えば、Ｈ鋼２のフランジ２Ａ，２Ｃに対して垂直方向に配設され、Ｈ鋼２側の側部下側には、例えば、Ｈ鋼２に対して係止するはしご係止部２１が設けられている。安定性を向上させるためのである。はしご係止部２１は、例えば、両端部がフランジ２Ｃの幅に合わせて、フランジ２Ｃの方にコの字型に折り曲げられた構成を有している。
【００１７】
この作業台１は、例えば、次のようにして用いられる。まず、防雪柵、防風柵、または防護壁などの設置工事において、Ｈ鋼２が所定の間隔で設置され、その間に遮蔽板５を下から順に掛け渡してボルト３Ａとナット３Ｂで固定される。遮蔽板を所定の高さまで固定し、作業位置が高くなると、Ｈ鋼２のフランジ２Ａに取り付けられたボルト３Ａまたはナット３Ｂに、配設係止部３１の係止孔３１Ａを係止して、Ｈ鋼２に配設部材３０を配設する。次いで、配設部材３０に台部材１０およびはしご部材２０を配設する。更に、必要に応じて、配設した複数の作業台１の上に、踏板４を掛け渡し、ボルト１２により固定する。作業が終了したら、作業台１をＨ鋼２から取り外す。
【００１８】
このように本実施の形態によれば、Ｈ鋼２のフランジ２Ａに取り付けられたボルト３Ａまたはナット３Ｂに対して係止する配設係止部３１を設けるようにしたので、Ｈ鋼２に対して台部材１０およびはしご部材２０を容易に取り付け、また、取り外しすることができる。よって、作業効率を向上させることができる。
【００１９】
また、はしご部材２０に、Ｈ鋼２に対して係止するはしご係止部２１を設けるようにすれば、安定性を向上させることができる。
【００２０】
更に、台部材１０に、踏板４をボルト１２により固定するための固定孔１３を設けるようにすれば、踏板４を簡単かつ安定して配設することができる。
【００２１】
以上、実施の形態を挙げて本考案を説明したが、本考案は上記実施の形態に限定されるものではなく、種々変形可能である。例えば、上記実施の形態では、作業台１の構成について具体的に説明したが、全ての構成要素を備えていなくてもよく、更に他の構成要素を備えていてもよい。また、図面では、ボルト３ＡをＨ鋼２の内側、ナット３Ｂを外側に取り付け、配設係止部３１をボルト３Ａに対して係止する場合について示したが、Ｈ鋼２に対してナット３Ｂを内側、ボルト３Ａを外側に取り付け、配設係止部３１をナット３Ｂに対して係止するようにしてもよい。更に、上記実施の形態では、一方のフランジ２Ａに取り付けられたボルト３Ａまたはナット３Ｂに対して配設係止部３１と係止するようにしたが、他方のフランジ２Ｃに取り付けられたボルトまたはナットに対して係止するようにしてもよい。
【産業上の利用可能性】
【００２２】
防雪柵、防風柵、または防護壁などの設置工事の作業台として用いることができる。
【符号の説明】
【００２３】
１…作業台、２…Ｈ鋼、２Ａ，２Ｃ…フランジ、２Ｂ…ウェブ、３Ａ…ボルト、３Ｂ…ナット、４…踏板、５…遮蔽板、１０…台部材、１１…嵌合部、１２…ボルト、１３…固定孔、１４…取付部材、１４Ａ…固定部、１４Ｂ…貫通孔、２０…はしご部材、２１…はしご係止部、３０…配設部材、３１…配設係止部、３１Ａ…係止孔、３２…アーム部、３２Ａ…突起部、３３…接続部、３４…配設補助部
【図１】
0003160239.tif 000003
【図２】
0003160239.tif 000004
【図３】
0003160239.tif 000005
【図４】
0003160239.tif 000006